(57)【要約】      （修正有）【課題】製造コストが安価で風向き、日射向き対応した有効な日除け，雨除けを行うことのできる墓を提供する。【解決手段】日除け，雨除けのための覆部１１が１本の直線状の支柱１２の上部に取付けられた傘形状の日除け，雨除け部材１を起立させることができるようにする。納骨室４の上部を覆う天板５に日除け，雨除け部材１の支柱１２よりも大きな取付孔２を貫通形成する。納骨室４の底面に取付孔２から納骨室４に挿通された日除け，雨除け部材１の支柱１２の先端部を複数箇所で選択的に位置決めすることのできる位置決め構造３を設ける。【選択図】図１
0003200694.tif 000002
【実用新案登録請求の範囲】
【請求項１】
日除け，雨除けのための覆部が１本の直線状の支柱の上部に取付けられた傘形状の日除け，雨除け部材を起立させることができるようにするものであって、納骨室の上部を覆う天板に日除け，雨除け部材の支柱よりも大きな取付孔を貫通形成し、納骨室の底面に取付孔から納骨室に挿通された日除け，雨除け部材の支柱の先端部を複数箇所で選択的に位置決めすることのできる位置決め構造を設けたことを特徴とする墓。
【考案の詳細な説明】
【技術分野】
【０００１】
本考案は、墓前での法要等の際に参道から合掌する参列者を日除け，雨除けすることのできる傘形状の日除け，雨除け部材を設置可能にした墓に係る技術分野に属する。
【背景技術】
【０００２】
墓前での法要等の際には、各参列者が各自に雨傘，日傘を持って日除け，雨除けしている。然しながら、参道から合掌する時には、両手が解放されていることが必要であることから、雨傘，日傘を折畳んで外柵の脇に立掛ける等しなければならず、即ち、参道から合掌する参列者は、自ら日除け，雨除けすることが不能になる。このため、他の参列者が参道から合掌する参列者に対して側方から雨傘，日傘をかざすことが行われているという状況がある。
【０００３】
このような状況から、墓前での法要等の際に参道から合掌する参列者を日除け，雨除けする機能を備えた墓の開発が要望されるようになってきている。
【０００４】
従来、墓前での法要等の際に参道から合掌する参列者を日除け，雨除けする機能を備えた墓としては、例えば、特許文献１．２に記載のものが知られている。
【０００５】
特許文献１，２には、日除け，雨除けのための覆部が１本の直線状の支柱の上部に取付けられた傘形状の日除け，雨除け部材に対応させたものであって、墓の一部に上部から下部に向けて日除け，雨除け部材の支柱を挿入して起立させることのできる取付穴，取付溝を設けてなるものである。
【０００６】
特許文献１，２に係る墓は、取付穴，取付溝に日除け，雨除け部材の支柱を挿入して起立させることで、日除け，雨除け部材を自立させて、墓前での法要等の際に参道から合掌する参列者を日除け，雨除けすることができるようにするものである。
【先行技術文献】
【特許文献】
【０００７】
【特許文献１】実用新案登録第３１７３０４９号公報
【特許文献２】実用新案登録第３１８２５５０号公報
【考案の概要】
【考案が解決しようとする課題】
【０００８】
特許文献１，２に係る墓では、墓の一部の石材に深く取付穴，取付溝を加工形成しなければならないため、製造コストが嵩んでしまうという問題点がある。また、日除け，雨除け部材が固定的に自立されるため、風向き、日射向き対応した有効な日除け，雨除けを行うことができないという問題点がある。
【０００９】
本考案は、このような問題点を考慮してなされたもので、製造コストが安価で風向き、日射向き対応した有効な日除け，雨除けを行うことのできる墓を提供することを課題とする。
【課題を解決するための手段】
【００１０】
前述の課題を解決するため、本考案に係る墓は、実用新案登録請求の範囲に記載のように、日除け，雨除けのための覆部が１本の直線状の支柱の上部に取付けられた傘形状の日除け，雨除け部材を起立させることができるようにするものであって、納骨室の上部を覆う天板に日除け，雨除け部材の支柱よりも大きな取付孔を貫通形成し、納骨室の底面に取付孔から納骨室に挿通された日除け，雨除け部材の支柱の先端部を複数箇所で選択的に位置決めすることのできる位置決め構造を設けたことを特徴とする。
【００１１】
この手段では、板状の天板に日除け，雨除け部材の支柱が挿通される取付穴を形成することで、石材の加工量を低減することができる。また、取付穴が日除け，雨除け部材の支柱よりも大きく形成され、納骨室の底面に取付孔から納骨室に挿通された日除け，雨除け部材の支柱の先端部を複数箇所で選択的に位置決めすることのできる位置決め構造が設けられることで、日除け，雨除け部材を傾倒させた状態で起立させることができる。
【考案の効果】
【００１２】
本考案に係る墓は、板状の天板に日除け，雨除け部材の支柱が挿通される取付穴を形成することで、石材の加工量を低減することができるため、製造コストが安価になる効果がある。また、取付穴が日除け，雨除け部材の支柱よりも大きく形成され、納骨室の底面に取付孔から納骨室に挿通された日除け，雨除け部材の支柱の先端部を複数箇所で選択的に位置決めすることのできる位置決め構造が設けられることで、日除け，雨除け部材を傾倒させた状態で起立させることができるため、風向き、日射向き対応した有効な日除け，雨除けを行うことができる効果がある。
【図面の簡単な説明】
【００１３】
【図１】本考案に係る墓を実施するための形態の第１例の一部を分解した斜視図である。
【図２】図１の拡大縦断面図である。
【図３】本考案に係る墓を実施するための形態の第２例の断面図である。
【図４】本考案に係る墓を実施するための形態の第３例の断面図である。
【考案を実施するための形態】
【００１４】
以下、本考案に係る墓を実施するための形態を図面に基づいて説明する。
【００１５】
図１，図２は、本考案に係る墓を実施するための形態の第１例を示すものである。
【００１６】
第１例では、図１に示すように、日除け，雨除けのための覆部１１が１本の直線状の支柱１２の上部に取付けられたものからなるビーチパラソルのような日除け，雨除け部材１を使用対象としている。
【００１７】
第１例は、取付孔２，位置決め構造３で構成されている。
【００１８】
取付孔２は、図２に拡大されて詳細に示されるように、納骨室４の上部を覆う天板５に日除け，雨除け部材１の支柱１２の大きさ（例えば、径）ａよりも大きな大きさ（例えば、径）ｂで貫通形成されている。この取付孔２は、上側の小径部２１と下側の大径部２２とによって階段形状に形成されている。なお、納骨室４の上部を覆う拝石６については、納骨室への骨壺の収納のため開閉される構造物となっている場合があるため、取付孔２の形成を避けるのが好ましい。
【００１９】
位置決め構造３は、取付孔２の直下の納骨室４の底面に設置され、周囲枠３１の内部に碁盤目状の仕切板３２を設けたマス目状枠（図面では９マス）からなる。この位置決め構造３は、ステンレス，セラミックス，石材，合成樹脂材等で形成され納骨室４の底面にモルタル等で固定されている。
【００２０】
第１例によると、日除け，雨除け部材１の支柱１２を取付孔２に挿通して納骨室４の内部に進出させて、支柱２の先端部（下端部）を位置決め構造３の１つのマスに侵入させることになる。位置決め構造３の１つのマスに侵入された日除け，雨除け部材１の支柱１２の先端部は、位置決め構造３の周囲枠３１，仕切板３２に当接されて位置決め（ズレ止め）される。
【００２１】
このとき、位置決め構造３のマスを選択することで、風向き、日射向き対応して日除け，雨除け部材１を傾倒させ覆部１１を風，日射に向けることができる。この結果、風向き、日射向き対応した有効な日除け，雨除けを行うことができる。なお、日除け，雨除け部材１の傾倒の際には、取付孔２が日除け，雨除け部材１の支柱１２よりも大きいため、無理なく調整することができる。なお、取付孔２と日除け，雨除け部材１の支柱１２との間にくさび７を打込むと、日除け，雨除け部材１の傾倒姿勢を安定化させることができる。
【００２２】
また、取付孔２が階段形状で日除け，雨除け部材１の支柱１２との接触面積が減少されているため、墓前での法要等が終了した後に、日除け，雨除け部材１の支柱１２の取付孔２からの引抜きを容易に行うことができる。なお、除け，雨除け部材１の支柱１２を取付孔２からの引抜いた後には、取付孔２にキャップ状の栓を取付けておくと、納骨室４の内部への雨，虫等の侵入を防止することができる。
【００２３】
さらに、第１例では、取付孔２，位置決め構造３で構成され、取付孔２が比較的厚さの薄い天板５に貫通形成されるため、石材の加工量が低減される。この結果、製造コストが安価になる。
【００２４】
図３は、本考案に係る墓を実施するための形態の第２例を示すものである。
【００２５】
第２例では、第１例の位置決め構造３の仕切板３２を省略して周囲枠３１の内部に砂，砂利３３を充填している。
【００２６】
第２例によると、日除け，雨除け部材１の支柱１２の先端部が位置決め構造３の砂，砂利３３との摩擦で位置決めされる。そして、日除け，雨除け部材１の傾倒について、第１例の９マスによる９種類の傾倒角度に限定されなくなって、広角度での微調整が可能になる。
【００２７】
さらに、第２例によると、位置決め構造３が簡素化されて、第１例よりも製造コストが安価になる。
【００２８】
図４は、本考案に係る墓を実施するための形態の第３例を示すものである。
【００２９】
第３例では、位置決め構造３を納骨室４の底面に敷設されている砂，砂利８で代替している。
【００３０】
第３例によると、実質的に位置決め構造３が不要となるため、第１例，第２例よりも製造コストが安価になる。
【００３１】
以上、図示した各例の外に、取付孔２，位置決め構造３を複数箇所に設けることも可能である。
【符号の説明】
【００３２】
１            日除け，雨除け部材
２            取付孔
３            位置決め構造
４            納骨室
５            天板
【図１】
0003200694.tif 000003
【図２】
0003200694.tif 000004
【図３】
0003200694.tif 000005
【図４】
0003200694.tif 000006